(57)【要約】【課題】装置表面に貼付されたＰＯＰ広告で画像表示部が隠れてしまうことがない広告画像表示装置を提供する。【解決手段】広告用画像の画像信号（Ｓ１）を記録した記録媒体（１５）を装着する装着手段（１６）とその記録媒体から画像信号（Ｓ１）を読み出して出力する信号出力手段（３０）とを格納する略箱状の第１の筐体（１１）と、信号出力手段から出力された画像信号を再生する、表示面（５３ａ）を有する表示パネル（５３）と、この表示面（５３ａ）を露出させると共にその縁部（５３ａ１）を枠状に覆う窓枠部（５４）を有して表示パネルを内部に格納する略箱状の第２の筐体（５２）と、を備え、第１の筐体の一面に凹部（１１ａ）を形成すると共にその凹部に第２の筐体の一部を収納し、第１の筐体の一面に対して第２の筐体の窓枠部を突出させた。【選択図】図１
2006309132.tif 000002
【特許請求の範囲】
【請求項１】
広告用画像を表示する表示面を有する画像表示手段を備えた広告用画像表示装置であって、
前記広告用画像の画像信号を記録した記録媒体を装着可能な記録媒体装着手段と、この記録媒体装着手段に装着された前記記録媒体から前記画像信号を読み出して前記表示手段に向け出力する信号出力手段と、を収納した略箱状の第１の筐体と、
前記表示面の縁部を枠状に覆い前記縁部以外の前記表示面を外部に露出させる窓枠部を有する略箱状の第２の筐体と、を備え、
前記第１の筐体は、その一面に該一面より凹んだ凹部を有し、
前記第２の筐体は、前記窓枠部が前記一面に対して突出するよう前記凹部に装着されて成ることを特徴とする広告画像表示装置。
【請求項２】
前記窓枠部は、突出する先端側が根本側よりも細い先細り形状を有することを特徴とする請求項１記載の広告画像表示装置。
【請求項３】
前記窓枠部の表面の表面粗さＲａが前記一面の表面粗さＲａよりも大きいことを特徴とする請求項１または請求項２に記載の広告画像表示装置。
【請求項４】
広告用画像の画像信号を記録した記録媒体を装着可能な記録媒体装着手段と、
該記録媒体装着手段に装着された前記記録媒体から前記画像信号を読み出して出力する信号出力手段と、
前記信号出力手段から出力された画像信号を画像として表示する表示面を有する表示手段と、
前記記録媒体装着手段，前記信号出力手段及び前記表示手段を支持する筐体と、を備えた広告画像表示装置であって、
前記筐体を、前記記録媒体装着手段及び前記信号出力手段を内部に備えた略箱状の本体筐体部と、前記表示手段を支持し前記本体筐体部とは独立して成るパネル支持部と、で構成する一方、
前記本体筐体部と前記パネル支持部とを連結する連結手段を備え、前記本体筐体部と前記パネル支持部とを前記連結手段を介し分離可能に連結する構成にしたことを特徴とする広告画像表示装置。
【発明の詳細な説明】
【技術分野】
【０００１】
本発明は、店舗の商品陳列棚等に設置され、商品等の広告を表示する広告画像表示装置に関する。
【背景技術】
【０００２】
スーパーマーケットやコンビニエンスストア等の店舗においては、商品陳列棚の近傍に、画像を表示するモニタや音声を出力するテープレコーダ等を配置し、その棚の商品の広告を映像（静止画像を含む）や音声で買い物客に案内することが日常的に行われている。
【０００３】
この用途において、特に最近は、案内する内容を容易に更新でき、耐久性にも優れた半導体メモリを用いて、これを表示モニタとスピーカと共に一体化した広告画像表示装置が広く用いられるようになってきた。この広告画像表示装置の一例である広告表示体が特許文献１に記載されている。
【特許文献１】特開平７−１３４５５５号公報
【発明の開示】
【発明が解決しようとする課題】
【０００４】
ところで、店舗内においてこのような広告画像表示装置を用いる際のその周辺状況は様々である。
例えば、商品陳列棚周辺に広い空間を有する場所においては、装置に内蔵した表示パネルでは画面が小さすぎ、多くの買い物客に対して充分な訴求効果を得にくい。
【０００５】
そのため、広告画像表示装置に備えられた外部出力機能を用い、広告画像を、天吊りしたＰＤＰ（プラズマディスプレイパネル）等の大型画像表示装置に表示させることが多い。
【０００６】
また、商品陳列棚周辺が密集し狭い空間しかない場所においては、陳列棚と買い物客との距離が必然的に接近するので、表示画面を買い物客の視線に合わせた位置に配置しないと注目度が低く充分な訴求効果が得られない。
【０００７】
この場合、広告表示装置を目の高さに合わせると、広告対象商品が棚の低い位置にある場合等には、その商品と広告画像及び広告音声が発せられる位置とが離れ、商品を見つけることができなかったり、すぐに見つけて手に取ることができず購買意欲がそがれてしまう可能性が高かった。
【０００８】
このような狭い場所で広告画像表示装置を用いる場合は、やむを得ず、音声による宣伝効果のみを期待して装置を商品の近くに設置する場合が多く、広告画像表示装置の使用者（店舗側）にとって内蔵した画像表示機能はほとんど意味が無いものになる場合があった。
【０００９】
そのため、使用者からは、広告画像表示装置を店舗内に導入する際に、画像表示機能の内蔵有無で機種が選択できることが強く要望されている。
これに対して従来の広告画像表示装置は、画像表示部が筐体と一体的に形成されているので、画像表示機能の内蔵有無でそれぞれ独立した広告画像表示装置を設計、製造しなければならなかった。
【００１０】
そのため、部材を成形するための金型投資が多額になったり、製造工程が別々になる等から大幅なコストアップになるという問題があった。
一方、このような広告画像表示装置を用いた場合、画面や音声による広告表示以外に、「３０％ＯＦＦ！」や「特売！！」というような売り文句を表示した、いわゆるＰＯＰ（Ｐｏｉｎｔ  ｏｆ  Ｐｕｒｃｈａｓｅ  Ａｄｖｅｒｔｉｓｉｎｇ）広告をその表示装置の正面に貼付する場合が多い。
【００１１】
しかしながら、従来の画像表示部付き（内蔵）広告画像表示装置では、画面が本体の正面とほぼ同じ高さの面か凹んだ面になっていたので、大きなＰＯＰ広告が貼付され易く、その場合に画面の一部が容易に隠れてしまい、広告画像が見にくくなってしまうという問題があった。
【００１２】
店舗の販売現場では、プライスタグの付け替えや、特売商品の表示などを極めて短時間に行わなければならず、それと共にこのＰＯＰ広告の新たな貼付や交換が行われる。従って、画面を隠すか否か等について充分な配慮がされずに作業が行われ、結果としてＰＯＰ広告で画面が隠れるという問題が生じる場合があった。
【００１３】
また、ＰＯＰ広告は、広告する内容に応じて頻繁に貼り替えられる場合が多い。
ＰＯＰ広告の裏面には貼着剤や両面テープ等が設けられているが、装置の表面が鏡面に近い程、ＰＯＰ広告が強く貼着され、貼り替えの際に強い引きはがし力が必要になり作業効率が低下したり、粘着剤が強固に筐体表面に残って筐体を汚したり、残存した粘着剤の剥がし作業で筐体に傷をつけてしまうという問題が生じる可能性があった。
【００１４】
そこで、本発明が解決しようとする課題は、広告画像表示装置の表面に貼付されたＰＯＰ広告で画像表示部が隠れにくい広告画像表示装置を提供することにある。
また、広告画像表示装置において、画像表示部を備えた機種と備えない機種との双方を、コストアップを抑えて製造可能とする筐体構造を有する広告画像表示装置を提供することにある。
【００１５】
また、ＰＯＰ広告の引き剥がし作業が容易で、その貼付と引き剥がしを繰り返しても装置の筐体表面が汚れる恐れが少ない広告画像表示装置を提供することにある。
【課題を解決するための手段】
【００１６】
上記の課題を解決するために、本願発明は次の１）〜４）の手段を有する。
１）  広告用画像を表示する表示面（５３ａ）を有する画像表示手段（５３）を備えた広告用画像表示装置（１００）であって、
前記広告用画像の画像信号（Ｓ１）を記録した記録媒体（１５）を装着可能な記録媒体装着手段（１６）と、この記録媒体装着手段（１６）に装着された前記記録媒体（１５）から前記画像信号（Ｓ１）を読み出して前記表示手段（５３）に向け出力する信号出力手段（３０）と、を収納した略箱状の第１の筐体（１１）と、
前記表示面（５３ａ）の縁部（５３ａ１）を枠状に覆い前記縁部（５３ａ１）以外の前記表示面（５３ａ）を外部に露出させる窓枠部（５４，５４Ｂ）を有する略箱状の第２の筐体（５２）と、を備え、
前記第１の筐体（１１）は、その一面（１１ｓ）に該一面（１１ｓ）より凹んだ凹部（１１ａ）を有し、
前記第２の筐体（５２）は、前記窓枠部（５４，５４Ｂ）が前記一面（１１ｓ）に対して突出するよう前記凹部（１１ａ）に装着されて成ることを特徴とする広告画像表示装置（１００，１００Ｂ）である。
【００１７】
２）  前記窓枠部（５４Ｂ）は、突出する先端側が根本側よりも細い先細り形状を有することを特徴とする１）に記載の広告画像表示装置（１００Ｂ）である。
３）  前記窓枠部（５４，５４Ｂ）の表面の表面粗さＲａが前記一面（１１ｓ）の表面粗さＲａよりも大きいことを特徴とする１）または２）に記載の広告画像表示装置（１００，１００Ｂ）である。
【００１８】
４）  広告用画像の画像信号（Ｓ１）を記録した記録媒体（１５）を装着可能な記録媒体装着手段（１６）と、
該記録媒体装着手段（１６）に装着された前記記録媒体（１５）から前記画像信号（Ｓ１）を読み出して出力する信号出力手段（３０）と、
前記信号出力手段（３０）から出力された画像信号（Ｓ１）を画像として表示する表示面（５３ａ）を有する表示手段（５３）と、
前記記録媒体装着手段（１６），前記信号出力手段（３０）及び前記表示手段（５３）を支持する筐体と、を備えた広告画像表示装置（１００，１００Ｂ）であって、
前記筐体を、前記記録媒体装着手段（１６）及び前記信号出力手段（３０）を内部に備えた略箱状の本体筐体部（１１）と、前記表示手段（５３）を支持し前記本体筐体部（１１）とは独立して成るパネル支持部（５２）と、で構成する一方、
前記本体筐体部（１１）と前記パネル支持部（５２）とを連結する連結手段（２２，１１ａ５，５２ｃ）を備え、前記本体筐体部（１１）と前記パネル支持部（５２）とを前記連結手段（２２，１１ａ５，５２ｃ）を介し分離可能に連結する構成にしたことを特徴とする広告画像表示装置（１００，１００Ｂ）である。
【発明の効果】
【００１９】
本発明によれば、表面に貼付されたＰＯＰ広告で広告画像表示部が隠れてしまうことがないという効果を得る。
また、広告画像表示部を備えた機種と備えない機種との双方を、コストアップを抑えて製造可能になるという効果を得る。
【００２０】
また、ＰＯＰ広告の引き剥がし作業が容易で、その貼付と引き剥がしを繰り返しても筐体表面が汚れる恐れが少ないという効果を得る。
【発明を実施するための最良の形態】
【００２１】
本発明の実施の形態を、好ましい実施例により図１〜図１２を用いて説明する。
図１は、本発明の広告画像表示装置の実施例を示す外観図である。
図２は、本発明の広告画像表示装置の実施例を示す断面図である。
【００２２】
図３は、本発明の広告画像表示装置の実施例を説明する斜視図である。
図４は、本発明の広告画像表示装置の実施例を説明する断面図である。
図５は、本発明の広告画像表示装置の実施例における使用形態を説明する斜視図である。
【００２３】
図６は、本発明の広告画像表示装置の実施例を説明する概略ブロック図である。
図７は、本発明の広告画像表示装置の実施例における使用形態を説明する他の図である。
【００２４】
図８は、本発明の広告画像表示装置の実施例における連結手段の他の例を説明する図である。
図９は、本発明の広告画像表示装置における実施例の変形例を示す斜視図である。
【００２５】
図１０は、本発明の広告画像表示装置における実施例の変形例を説明する断面図である。
図１１は、本発明の広告画像表示装置における実施例の変形例を説明する斜視図である。
【００２６】
図１２は、図９に示す変形例の他の例を説明する概略断面図である。
実施例の広告画像表示装置１００について、まず、図１及び図２を用いて説明する。図１は、その概略外観図であり、図２は、図１におけるＡ−Ａ断面図である。この装置１００は、本体部１０と画像表示部５０とを有している。
【００２７】
まず、本体部１０について説明する。
本体部１０は、その中央部に四角形形状の凹部１１ａが形成された略箱状の筐体１１を有している。
【００２８】
この凹部１１ａには、詳細を後述する画像表示部５０が装着される。
筐体１１の内部における凹部１１ａの両脇には、一対のスピーカ１２が取り付けられている。また、このスピーカ１２からの音声が外部に放出できるよう筐体１１にはそのスピーカ１２に対応した範囲に音声孔１３が設けられている。
【００２９】
また、筐体１１の内部には、回路基板１４が備えられている。
この回路基板１４には、メモリーカード１５が挿抜可能なカードスロット１６と、画像表示部５０に対して映像信号及び電源を送出するためのケーブル１７が挿抜されるコネクタ１８が取り付けられている。
【００３０】
このメモリーカード１５を外部から挿抜可能とするために、筐体１１の一側面にはカード挿入口１１ｂが設けられている。
また、筐体１１の凹部１１ａの底面１１ａ３には、ケーブル１７を通過させる接続孔１１ａ１が形成されている。
【００３１】
筐体１１の他の側面には、回路基板１４と接続されたボリュームや端子等が設けられている。具体的には、音量調整ボリューム１９ａ，再生モード切り替えスイッチ１９ｂ，映像出力端子１９ｃ１，音声出力端子１９ｃ２及び輝度調整ボリューム１９ｄであり、これらは外部から調整や接続が可能である。輝度調整ボリューム１９ｄは、後述する表示パネル５３が表示する画像の輝度を調整する。
【００３２】
次に、画像表示部５０について説明する。
画像表示部５０は、一面に大きく開口した表示窓５１を有する扁平の箱状である表示筐体５２と、その表示窓５１から表示画像が視認できるよう内側に固定された、画像を表示する表示面５３ａを有する表示パネル５３とを備えている。この表示パネル５３として、例えば、４型の液晶表示素子を用いることができる。
【００３３】
この表示パネル５３に対して電気的に接続されたケーブル１７は、表示筐体５２の表示窓５１とは反対側の面に設けられた接続孔５２ａ及び接続孔１１ａ１を通り回路基板１４のコネクタ１８に取り付けられている。
【００３４】
表示筐体５２は、表示パネル５３の表示面５３ａにおける周囲の縁部５３ａ１（図２における幅５３ａ１ｗの範囲）を覆う枠部５４を有している。これについての詳細は後述する。
【００３５】
表示筐体５２は、本体部１０の筐体１１の凹部１１ａと品位ある隙間をもって嵌りこんで装着されるように、互いの外形形状及び寸法が設定されている。
この画像表示部５０は、本体部１０に対して、両者を連結する連結手段であるねじ２２によりねじ止め固定され装着される。
【００３６】
この連結手段は、ねじに限らず周知の方法を用いることができる。例えば、筐体１１と表示筐体５２とを樹脂で成形した場合には、凹凸の係合によるいわゆるスナップフィットにより固定させることができる。
【００３７】
その具体的な例を、図８に示す。
この例において、連結手段は、画像表示部５０の表示筐体５２に突出して設けた略Ｌ字状の係合部５２ｃと、この係合部５２ｃに係合するように筐体１１の凹部１１ａに設けた係合孔１１ａ５である。
【００３８】
図８（ａ）ではこの連結手段を４ヶ所設けてあり、画像表示部５０を本体部１０に対して矢印Ｌのようにスライドさせることで両者が連結する構成となっている。
図８（ｂ）は、この連結手段により画像表示部５０と本体部１０を一体化した状態を示している。両者を分離する場合は、矢印Ｌの逆の方向にスライドさせればよい。
【００３９】
このような構成により、画像表示部５０と本体部１０とは連結手段を開放することによって分離できるように構成される。ねじ２２を用いて連結した場合は、ドライバ等により筐体１１の底面側からねじ２２をゆるめて両者を分離することができるが、図８に示す連結手段のように、画像表示部５０を本体部１０に対してドライバ等の工具なしに容易に着脱できるように構成すると連結分離作業はより容易である。
【００４０】
また、画像表示部５０が無い装置１００Ａ（詳細は後述する）に対しては、ユーザが画像表示部５０を後から装着できるように構成したり、また、画像表示部５０を備えた広告画像表示装置１００に対して、ユーザが画像表示部５０を後から外せる構成にすることは自由である。
【００４１】
次に、画像表示部５０を備えた広告画像表示装置１００の構成を図６のブロック図を用いて説明する。
カードスロット１６に挿入されたメモリーカード１５には、予めＪＰＥＧ方式やＭＰＥＧ方式で圧縮された、広告の画像（映像）信号Ｓ１や音声信号Ｓ２が記憶されている。
【００４２】
この圧縮された映像信号Ｓ１及び音声信号Ｓ２は、メモリーカード１５から読み出されるとデコーダ３０により伸張される。
デコーダ３０により伸張された映像信号は、コネクタ１８及びケーブル１７を介して画像表示部５０に送出されて表示される。また、この映像信号は、映像出力端子１９ｃ１から外部に出力可能とされる。
【００４３】
一方、デコーダ３０により伸張された音声信号は、スピーカ１２に送出され音声として出力される。
また、この音声信号は、音声出力端子１９ｃ２から外部に出力可能とされる。
【００４４】
上述した構成において、本体部１０と画像表示部５０とは、それぞれ独立した略箱状の筐体１１と表示筐体５２とを有しているので、本体部１０を共通にして画像表示部５０を備えた機種と備えていない機種とを製造することができる。
【００４５】
すなわち、それぞれの機種を、各機種専用の金型を用意することなく、また、製造工程も共通にして製造することが可能である。
次に、上述した広告画像表示装置１００の実施例における本体部１０を用いて製造される広告画像表示装置１００Ａについて図３及び図４を用いて説明する。
【００４６】
この広告画像表示装置１００Ａは、画像表示部５０を一体的に備えていない広告画像表示装置であり、外観を図３に示しそのＢ−Ｂ断面を図４に示す。
この広告画像表示装置１００Ａを用いる用途例としては、陳列棚の周囲に広い空間があり、画像はこの広告画像表示装置１００Ａの映像出力端子１９ｃ１を介して、別の大画面表示装置で大勢の買い物客に対して画像表示を行う場合がある。
【００４７】
この装置１００Ａには画像表示部５０が取り付けられていないので、装置１００Ａの正面は突出部がない形態となっている。
そのため、画像表示機能がない替わりに、大きな、あるいは、たくさんのＰＯＰ広告をこの表面に貼付することができる。
【００４８】
この装置１００Ａは、その凹部１１ａが直接外部から視認できるので、凹部１１ａの底面１１ａ３と側面１１ａ４は、通常の可視外観面と同様の品位が得られるように形成される。
【００４９】
図３及び図４（ａ）に示した例では、凹部１１ａの接続孔１１ａ１に、これを塞ぐキャップ２０を嵌着させて外観品位を向上させている。
この接続孔１１ａ１は、図４（ｂ）に示すように、凹部１１ａの側面に設けることもできる。画像表示部５０を取り付ける際のケーブル１７の接続作業はやや難しくなるが、外部からキャップ２０が見えにくい位置にあるため外観品位として好ましい。
【００５０】
画像表示部５０を装着する場合、ケーブル１７の接続孔５２ａは、その表示筐体５２の側面に設けておく。
ここで、図１及び図２に戻り、画像表示部５０を一体的に備えた広告画像表示装置１００についてさらに詳細に説明する。これらの図にも示したように、画像表示部５０の正面側の最も突出した端部は、本体部１０の筐体１１の前面１１ｓ（表示面５３ａ側の面）に対して距離Ｈだけ突出している。
【００５１】
具体的には、表示筐体５２において、表示パネル５３の表示面５３ａにおける周囲である縁部５３ａ１を隠して品位を向上させる枠部５４の端面５４ａが、筐体１１の前面１１ｓに対して距離Ｈだけ突出している。
【００５２】
さらに、この枠部５４の端面５４ａの幅Ｗを、必要最小限の幅にしてある。
これにより、この広告画像表示装置１００に、裏面に粘着剤層等を有するＰＯＰ広告を貼付する際には、枠部５４が突出しているためにこれを跨いで貼付することが困難になる。
【００５３】
また、枠部５４の端面５４ａの幅Ｗが極めて狭いので、この端面５４ａにＰＯＰ広告をしっかりと貼付することも難しくなっている。
従って、図５に示すように、ＰＯＰ広告２１は、作業者が特に注意を払わずともおのずと枠部５４の外側に位置するように貼付されるので、ＰＯＰ広告２１で表示パネル５３の表示面５３ａが隠れてしまうという不具合は発生しない。
【００５４】
また、貼付作業において、画面が隠れるか否か等に特に注意を払う必要がないので、効率良くＰＯＰ広告２１の新たな貼付や交換作業を行うことができる。
次に、上述した画像表示部５０の枠部５４を、その突出する先端側を根本側に対して細い先細り形状にした例を示す。例えば、端面５４ａを曲面にした具体例について、上述の図１及び図２に対応する図９及び図１０を用いて説明する。
【００５５】
図９は、本発明に係る広告画像表示装置における実施例を変形した例を示す外観斜視図であり、図１０は、図９のＣ−Ｃ断面図である。
この変形例は、上述した実施例における表示筐体５２の枠部５４の断面形状が異なる画像表示部５０Ｂを備えたものであり、図９及び図１０における図１及び図２と共通の部位には同じ符号を付してある。
【００５６】
図１０に示すように、この広告画像表示装置１００Ｂの画像表示部５０Ｂは、その枠部５４Ｂの端部５４Ｂａが先細り形状であり、半径Ｒの円弧状の断面形状を有するように形成されている。
【００５７】
そのため、仮にこの枠部５４Ｂ上にＰＯＰ広告２１を貼り付けようとしても、ＰＯＰ広告２１と枠部５４Ｂとが貼着部分において線接触となり、充分な貼着面積が得られない。
従って、この枠部５４ＢへのＰＯＰ広告の貼り付けは極めて困難となり、この変形例の広告画像表示装置１００Ｂは、その表示面５３ａがＰＯＰ広告２１で隠れる可能性が極めて少ないという効果が得られる。
【００５８】
以上詳述した各広告画像表示装置１００，１００Ａ，１００Ｂにおいては、ＰＯＰ広告２１が貼付される筐体１１の前面１１ｓを、ある所定の範囲の表面粗さに形成するとさらに良い。この表面粗さについては、実施例の変形例である広告画像表示装置１００Ｂを代表として図１１を用いて説明する。
【００５９】
すなわち、ＰＯＰ広告２１が貼付され得る筐体１１の少なくとも前面１１ｓを、表面粗さＲａが２５μｍとなるように形成する。図１１においては、この第１の表面粗さを有する範囲ＡＲ１を濃い網掛けの範囲として示している。筐体１１を樹脂の射出成形により形成すれば、金型のキャビティに周知のシボ加工を施すことにより、比較的容易にこの表面粗さの前面１１ｓを有する筐体１１を得ることができる。
【００６０】
これは、被貼着面（前面１１ｓ）に適度な凹凸を設けると、ＰＯＰ広告２１の貼着剤との接触面積を繰り返し貼付に最適な接触面積に設定できることによる。
発明者らは、この最適な接触面積が得られる表面粗さＲａ値の範囲は２０μｍ〜３０μｍであることを見い出した。この表面粗さＲａの範囲で筐体１１の前面１１ｓを形成すると、ＰＯＰ広告２１をこの前面１１ｓに貼付した際には充分な貼着力が得られる一方、手による剥がし作業において適度な力で引き剥がしができると共に貼着剤残りもほとんどなくなって筐体の前面１１ｓが汚れることがない。
【００６１】
また、実施例及びその変形例における枠部５４，５４Ｂの端面５４ａ，５４Ｂａは、その表面粗さがより大きくなるように形成すると、仮にＰＯＰ広告２１を枠部５４，５４Ｂに貼着しようとしても接触面積がより小さくなって貼着力はほとんど得られず、貼着が更に困難になるので好ましい。
【００６２】
具体的には、筐体１１の前面１１ｓより枠部５４，５４Ｂの端面５４ａ，５４Ｂａの表面粗さＲａを当然に大きくし、その表面粗さＲａを４０μｍ以上とするのがよい。図１１においては、この第１の範囲よりも大きい表面粗さを有する第２の範囲ＡＲ２を薄い網掛けの範囲として示している。
【００６３】
上述した実施例の広告画像表示装置１００を、商品陳列棚に設置した設置例を図７に示す。この設置例にはもちろん広告画像表示装置１００Ｂを適用することができる。
これは、新商品の缶飲料６１の陳列棚であり、表示パネル５３の表示面５３ａにはその商品の広告が動画として表示されると共に、スピーカ１２からは広告の音声が出力される。
【００６４】
広告画像表示装置１００の本体部１０の前面１１ｓにはＰＯＰ広告２１が複数貼付されているが、画像表示部５０の枠部５４が本体部１０の前面１１ｓから突出しており、また、その端面５４ａの幅が狭いので、ＰＯＰ広告２１は、表示面５３ａの一部を覆うことなく、確実に本体部１０の前面１１ｓ上のみに収まるよう貼付される。
【００６５】
また、変形例の広告画像表示装置１００Ｂの場合は、画像表示部５０Ｂの枠部５４Ｂは同様に本体部１０の前面１１ｓから突出しており、また、その端面５４Ｂａは円弧状断面を有し平面部が無いように形成されているので、ＰＯＰ広告２１は、この枠部５４Ｂに貼着されずに、表示面５３ａの一部を覆うことなく確実に本体部１０の前面１１ｓ上のみに収まるように貼付される。
【００６６】
また、いずれの広告画像表示装置１００，１００Ｂにおいても、本体部１０の前面１１ｓの表面が、表面粗さＲａ２０μｍ〜３０μｍの範囲で形成されることにより、ＰＯＰ広告２１が充分な貼着力で貼付されると共に、引き剥がしも容易で、前面１１ｓに貼着剤残りがなくきれいに剥がすことができる。
【００６７】
更に、枠部５４，５４Ｂの表面が、表面粗さＲａ４０μｍ以上で形成されることにより、ＰＯＰ広告２１の貼着が極めて難くなり、ＰＯＰ広告２１が誤ってこの枠部５４，５４Ｂに貼着されても容易に脱落し、画面５３ａの一部を覆うことがない。
【００６８】
本発明の実施例は、上述した構成及び手順に限定されるものではなく、本発明の要旨を逸脱しない範囲において上述した変形例以外の変形例としてもよいのは言うまでもない。
例えば、筐体部１１は、底板１１ｂを別体として分離できるように構成してあってもよい。
【００６９】
また、枠部５４Ｂの断面形状は先細り形状であるとよいが、上述した円弧状に限らず、先端側に平面を有しない形状であるとさらによい。例えば先端側に頂部を有する略三角断面形状がある。
【００７０】
枠部５４Ｂの断面図である図１２を用いて説明すると、図１２（ａ）は先細り形状の第１例である上述した断面円弧形状のものを示し、枠部の断面形状は、図１２（ｂ）の第２例である先端側に頂部５４ｔを有する断面三角形状のものでもよく、図１２（ｃ）の第３例である頂部５４ｔが側面側にある断面三角形状のものでもよく、図１２（ｄ）の第４例である頂部５４ｔを複数有する断面形状のものでもよい。もちろん、これらを適宜組み合わせた形状としてもよいことは言うまでもない。
【図面の簡単な説明】
【００７１】
【図１】本発明の広告画像表示装置の実施例を示す外観図である。
【図２】本発明の広告画像表示装置の実施例を示す断面図である。
【図３】本発明の広告画像表示装置の筐体構造における実施例を説明する斜視図である。
【図４】本発明の広告画像表示装置の筐体構造における実施例を説明する断面図である。
【図５】本発明の広告画像表示装置の実施例における使用形態を説明する斜視図である。
【図６】本発明の広告画像表示装置の実施例を説明する概略ブロック図である。
【図７】本発明の広告画像表示装置の実施例における使用形態を説明する他の図である。
【図８】本発明の公告画像表示装置の実施例の変形例を示す斜視図である。
【図９】本発明の広告画像表示装置における実施例の変形例を示す斜視図である。
【図１０】本発明の広告画像表示装置における実施例の変形例を説明する断面図である。
【図１１】本発明の広告画像表示装置における実施例の変形例を説明する斜視図である。
【図１２】図９に示す変形例の他の例を説明する概略断面図である。
【符号の説明】
【００７２】
１０  本体部
１１  筐体
１１ａ  凹部
１１ａ１  接続孔
１１ａ３  底面
１１ａ４  側面
１１ａ５  係合孔
１１ｓ  前面
１２  スピーカ
１３  音声孔
１４  回路基板
１５  メモリーカード（記録媒体）
１６  カードスロット
１７  ケーブル
１８  コネクタ
１９ａ  音量調整ボリューム
１９ｂ  再生モード切り替えスイッチ
１９ｃ１  映像出力端子
１９ｃ２  音声出力端子
１９ｄ  輝度調整ボリューム
２０  キャップ
２１  ＰＯＰ広告
２２  ねじ（連結手段）
３０  デコーダ
５０  画像表示部
５１  表示窓
５２  表示筐体
５２ａ  接続孔
５２ｃ  係合部
５３  表示パネル
５３ａ  表示面
５３ａ１  縁部
５４，５４Ｂ  枠部
５４ａ，５４Ｂａ  端面
１００，１００Ａ，１００Ｂ  広告画像表示装置
Ｈ  （突出する）距離
Ｗ  （枠部の）幅
Ｓ１  画像（映像）信号
Ｓ２  音声信号
【図１】
2006309132.tif 000003
【図２】
2006309132.tif 000004
【図３】
2006309132.tif 000005
【図４】
2006309132.tif 000006
【図５】
2006309132.tif 000007
【図６】
2006309132.tif 000008
【図７】
2006309132.tif 000009
【図８】
2006309132.tif 000010
【図９】
2006309132.tif 000011
【図１０】
2006309132.tif 000012
【図１１】
2006309132.tif 000013
【図１２】
2006309132.tif 000014